(57)【要約】【課題】非ネットワーク環境においてＮＦＣトークンを翳すだけで、前回までに使用した機能のログ情報が反映されたカスタマイズ画面での操作が可能となるようにする。【解決手段】ＮＦＣトークン１０に対して情報の読み取り及び書き込みが可能なＮＦＣ−Ｒ／Ｗ１１と、操作パネル１３と、ユーザ毎のカスタマイズ情報６２を記憶する記憶手段６０と、を備え、ＮＦＣ制御部１２は、ＭＦＣトークン１０内に保持されたカスタマイズ情報１０ｃをＮＦＣにより取得し、取得されたカスタマイズ情報１０ｃと記憶手段６０に保持されているカスタマイズ情報６２と照合し、ユーザ毎のカスタマイズ画面を操作パネル１３に表示させ、カスタマイズ画面で選択した際のログ情報をＮＦＣトークン１０に保持させ、ログ情報を含むユーザ毎のカスタマイズ情報と記憶手段６０に記憶されているカスタマイズ情報６２とを照合し、カスタマイズ画面を更新する。【選択図】図１
2010263484.tif 000002
【特許請求の範囲】
【請求項１】
近距離無線通信認証デバイス内に保持された情報を読み取り、また、近距離無線通信認証デバイスに情報を書き込むリーダ／ライタと、
ユーザインターフェイスとしての操作表示手段と、
を備えた画像形成装置であって、
ユーザ毎のカスタマイズ情報を記憶する記憶手段と、
前記近距離無線通信認証デバイス内に保持された前記カスタマイズ情報を近距離無線通信により取得する手段と、
前記取得する手段によって取得された前記カスタマイズ情報と前記記憶手段に保持されているカスタマイズ情報とを照合し、利用ユーザ毎のカスタマイズ画面を前記操作表示手段に表示させる手段と、
前記カスタマイズ画面で選択した際のログ情報を前記近距離無線通信認証デバイス内に保持させる手段と、
前記近距離無線通信認証デバイス内に保持された前記ログ情報を含むユーザ毎のカスタマイズ情報と前記記憶手段に記憶されているカスタマイズ情報とを照合し、前記カスタマイズ画面を更新する手段と、
を備えていることを特徴とする画像形成装置。
【請求項２】
請求項１記載の画像形成装置であって、
近距離無線通信を行った後であって、前記ログ情報が全て前記近距離無線通信認証デバイスに書き込まれる前に前記リーダ／ライタと前記近距離無線通信認証デバイスとの通信が切断されたとき、前記ログ情報を前記記憶手段に一時記憶し、前記切断後にユーザが近距離無線通信により同一の画像形成装置にアクセスした際に、当該画像形成装置内の前記記憶手段から前記近距離無線通信認証デバイス内に前記ログ情報を転送する手段を備えていることを特徴とする画像形成装置。
【請求項３】
請求項１記載の画像形成装置であって、
前記画像形成装置がネットワークに接続されている場合に、近距離無線通信を行った後であって、前記ログ情報が全て前記近距離無線通信認証デバイスに書き込まれる前に前記リーダ／ライタと前記近距離無線通信認証デバイスとの通信が切断されたとき、前記ログ情報をネットワークサーバに一時記憶し、前記切断後にユーザが近距離無線通信により同一の画像形成装置にアクセスした際に、前記ネットワークサーバから当該画像形成装置内の前記記憶手段から前記近距離無線通信認証デバイス内に前記ログ情報を転送する手段を備えていることを特徴とする画像形成装置。
【請求項４】
請求項１又は２記載の画像形成装置であって、
前記近距離無線通信認証デバイスに保持されているユーザ識別情報に基づいてユーザを認証するユーザ認証手段を備え、
前記表示させる手段は、前記ユーザ認証手段が前記ユーザ識別情報を取得することができないときには、認証に失敗した旨を前記操作表示手段に表示させ、認証に成功したときには認証されたユーザの前記カスタマイズ情報に基づいて当該ユーザのカスタマイズ画面を表示することを特徴とする画像形成装置。
【請求項５】
請求項１又は２記載の画像形成装置であって、
前記取得する手段によって前記近距離無線通信認証デバイス内に保持されたカスタマイズ情報を取得できないときには、前記表示させる手段は前記カスタマイズ画面に代えて、読み取りエラーである旨を前記操作表示手段に表示させ、その後、一般に使用される汎用の操作表示画面を表示させることを特徴とする画像形成装置。
【請求項６】
請求項１又は２記載の画像形成装置であって、
前記近距離無線通信認証デバイス内又は前記記憶手段にユーザのログ情報が存在しないとき、又は前記取得する手段が前記近距離無線通信認証デバイスからログ情報を取得できないときには、前記表示させる手段は、予め設定された標準的なカスタマイズ画面を表示し、前記ログ情報が存在し、当該ログ情報を取得できたときには、そのログ情報に基づいてカスタマイズ画面を更新し、更新されたカスタマイズ画面を表示することを特徴とする画像形成装置。
【請求項７】
近距離無線通信認証デバイス内に保持された情報を読み取り、また、近距離無線通信認証デバイスに情報を書き込むリーダ／ライタと、
ユーザインターフェイスとしての操作表示手段と、
ユーザ毎のカスタマイズ情報を記憶する記憶手段と、
を備えた画像形成装置におけるカスタマイズ画面の更新方法であって、
前記近距離無線通信認証デバイス内に保持された前記カスタマイズ情報を近距離無線通信により取得し、
前記取得された前記カスタマイズ情報と前記記憶手段に保持されているカスタマイズ情報と照合し、利用ユーザ毎のカスタマイズ画面を前記操作表示手段に表示させ、
前記カスタマイズ画面で選択した際のログ情報を前記近距離無線通信認証デバイス内に保持させ、
前記近距離無線通信認証デバイス内に保持された前記ログ情報を含むユーザ毎のカスタマイズ情報と、前記記憶手段に記憶されているカスタマイズ情報と照合し、前記カスタマイズ画面を更新すること
を特徴とする画像形成装置におけるカスタマイズ画面の更新方法。
【請求項８】
近距離無線通信認証デバイス内に保持された情報を読み取り、また、近距離無線通信認証デバイスに情報を書き込むリーダ／ライタと、
ユーザインターフェイスとしての操作表示手段と、
ユーザ毎のカスタマイズ情報を記憶する記憶手段と、
を備えた画像形成装置におけるカスタマイズ画面の更新をコンピュータによって実行するためのカスタマイズ画面更新プログラムであって、
前記近距離無線通信認証デバイス内に保持された前記カスタマイズ情報を近距離無線通信により取得する手順と、
前記取得された前記カスタマイズ情報と前記記憶手段に保持されているカスタマイズ情報と照合し、利用ユーザ毎のカスタマイズ画面を前記操作表示手段に表示させる手順と、
前記カスタマイズ画面で選択した際のログ情報を前記近距離無線通信認証デバイス内に保持させる手順と、
前記近距離無線通信認証デバイス内に保持された前記ログ情報を含むユーザ毎のカスタマイズ情報と、前記記憶手段に記憶されているカスタマイズ情報と照合し、前記カスタマイズ画面を更新する手順と、
を備えていることを特徴とするカスタマイズ画面更新プログラム。
【発明の詳細な説明】
【技術分野】
【０００１】
本発明は、ＮＦＣ認証デバイスとの通信機能を有する画像形成装置、特にＮＦＣ認証の可否に対応してユーザインターフェイスである操作表示手段についてユーザカスタマイズ画面を表示可能な画像形成装置、この画像形成装置の操作表示画面におけるカスタマイズ画面の更新方法、及び前記カスタマイズ画面の更新制御をコンピュータによって実行するためのカスタマイズ画面更新プログラムに関する。
【背景技術】
【０００２】
近年、社員証、学生証、定期券、あるいはお財布携帯などでは、個人を特定するＩＤカードとして近接無線通信技術（Near Field Communication：以下、ＮＦＣと称する）を使用したＩＣカード等を使用しているものが多くなってきている。ＮＦＣと称される規格は、電磁誘導方式による１３．５６Ｈｚ周波数帯を使用し、通信可能距離が略１０ｃｍである比較的低速での近距離通信に使用される通信プロトコルである。この規格はＮＦＣ  ＩＰ−１（ＩＳＯ／ＩＥＣ１８０９２）及びＮＦＣ  ＩＰ−２（ＩＳＯ／ＩＥＣ２１４８４１）として整定されている。このＮＦＣの機能には、カードエミュレーション機能、リーダ・ライタエミュレーション機能、端末間通信機能に加え、拡張機能としてＮＦＣ端末間ペアリング機能、ブルートゥース（Bluetooth）ハンドオーバ機能などが含まれる。
【０００３】
カードエミュレーション機能は、非接触ＩＣカードとして機能し、ＦｅｌｉＣａ規格、ＴｙｐｅＡ規格、ＴｙｐｅＢ規格、ＲＦＩＤ（ＩＳＯ１５６９３規格）のＩＣカード／タグ対応する。リーダ・ライタエミュレーション機能は、リーダ・ライタとして機能し、前記各規格に対応するＩＣカード及びタグの読み書きが可能であり、スマートカードチップにＮＦＣが組み込まれた携帯電話やＰＤＡ（Personal Digital Assistant)を前記規格のＩＣやタグに翳すと、所定の情報の転送が可能となるという機能である。端末間通信機能は、ＮＦＣ対応の機器間でデータの送受信を行う機能である。ＮＦＣ端末間ペアリング機能は、ＮＦＣ対応の機器間でペアリングあるいは認証だけをＮＦＣで行い、ペアリングあるいは認証後、大量のデータは他の高速な規格で通信するという機能である。ブルートゥースハンドオーバ機能は、前述のようにＮＦＣ対応の機器間でペアリングあるいは認証だけをＮＦＣで行い、その後、大量のデータをブルートゥースによって送受信するものである。同様の機能にＷｉＦｉハンドオーバ機能もある。
【０００４】
コンピュータの分野では、このＮＦＣ通信機能を備えたＩＣカードを利用して機器の利用者制限を行ったり、ネットワークでのペアリングやアソシエーションなどが実現されてきている。さらに、このＮＦＣ機能は、コンピュータの分野だけではなくコピーやファクシミリ機能を複数実装したオフィス機器の使用についてもセキュリティを考慮した上で適用可能である。
【０００５】
ユーザ毎に使用できる機能は各ユーザが所持するＮＦＣ認証デバイス（以下、ＮＦＣトークンと称す。）内に保持されている情報により異なるので、画像形成装置が保有する全ての機能を操作パネルに表示した場合は、ユーザはどの機能が利用できて、どの機能が利用できないかを判断することは難しい。ユーザが操作パネル上で設定を行った後、通信を開始する際にエラー表示をさせるのではユーザビリティに欠ける。このユーザビリティの欠如に対応するには、操作パネルのカスタマイズ化を行えばよい。
【０００６】
このような画像形成装置におけるＩＣカードによるユーザ認証後にカスタマイズされる操作パネルにおいて、特許文献１には登録が確認されたユーザの個人情報であって、独自のカスタマイズメニューと少なくとも前回カスタマイズメニューを選択した際の設定情報が登録された学習用メニューとを含む個人情報テーブルを前記サーバから取得し、取得したカスタマイズメニューと学習用メニューの設定情報とを表示すると記載されている。
【０００７】
また特許文献２には、ＩＣカード等の記録媒体にユーザ識別情報及びカスタマイズ情報を前もって記録しておくことで、複数の画像形成装置に対して、同じカスタマイズ情報により、操作パネルをカスタマイズできる手段が記載されている。
【発明の概要】
【発明が解決しようとする課題】
【０００８】
特許文献１記載の発明では、操作パネルのカスタマイズ情報とカスタマイズ画面の更新情報は画像形成装置内とネットワークサーバの記憶情報に依存したものであり、非ネットワーク環境において複数の画像形成装置に対して更新されたカスタマイズ画面を表示する手段はサポートしていない。ネットワーク接続されていない画像形成装置ではユーザはＩＣカード認証を行っても操作パネルのカスタマイズ画面はデフォルト（初期設定）のものしか使用できない。
【０００９】
また特許文献２の発明では、カスタマイズ情報とカスタマイズ画面の更新情報はＩＣカードに記録するようにしているもののカスタマイズ画面の更新情報は過去の使用履歴に依存したものではなく、ユーザが手動で設定を行うこととしている。つまり、非ネットワーク環境において操作パネルにおける利用ユーザ毎にカスタマイズされる画面を更新する手段はサポートされていない。
【００１０】
そこで、本発明が解決しようとする課題は、非ネットワーク環境においてＮＦＣトークンをＮＦＣ−Ｒ／Ｗに翳すだけで、前回までに使用した機能のログ情報が反映されたカスタマイズ画面での操作を可能とすることにある。
【課題を解決するための手段】
【００１１】
前記課題を解決するため、第１の手段は、近距離無線通信認証デバイス内に保持された情報を読み取り、また、近距離無線通信認証デバイスに情報を書き込むリーダ／ライタと、ユーザインターフェイスとしての操作表示手段と、ユーザ毎のカスタマイズ情報を記憶する記憶手段と、を備えた画像形成装置であって、前記近距離無線通信認証デバイス内に保持された前記カスタマイズ情報を近距離無線通信により取得する手段と、前記取得する手段によって取得された前記カスタマイズ情報と前記記憶手段に保持されているカスタマイズ情報と照合し、利用ユーザ毎のカスタマイズ画面を前記操作表示手段に表示させる手段と、前記カスタマイズ画面で選択した際のログ情報を前記近距離無線通信認証デバイス内に保持させる手段と、前記近距離無線通信認証デバイス内に保持された前記ログ情報を含むユーザ毎のカスタマイズ情報と前記記憶手段に記憶されているカスタマイズ情報とを照合し、前記カスタマイズ画面を更新する手段と、を備えていることを特徴とする。
【００１２】
第２の手段は、第１の手段において、近距離無線通信を行った後であって、前記ログ情報が全て前記近距離無線通信認証デバイスに書き込まれる前に前記リーダ／ライタと前記近距離無線通信認証デバイスとの通信が切断されたとき、前記ログ情報を前記記憶手段に一時記憶し、前記切断後にユーザが近距離無線通信により同一の画像形成装置にアクセスした際に、当該画像形成装置内の前記記憶手段から前記近距離無線通信認証デバイス内に前記ログ情報を転送する手段を備えていることを特徴とする。
【００１３】
第３の手段は、第１の手段において、前記画像形成装置がネットワークに接続されている場合に、近距離無線通信を行った後であって、前記ログ情報が全て前記近距離無線通信認証デバイスに書き込まれる前に前記リーダ／ライタと前記近距離無線通信認証デバイスとの通信が切断されたとき、前記ログ情報をネットワークサーバに一時記憶し、前記切断後にユーザが近距離無線通信により同一の画像形成装置にアクセスした際に、前記ネットワークサーバから当該画像形成装置内の前記記憶手段から前記近距離無線通信認証デバイス内に前記ログ情報を転送する手段を備えていることを特徴とする。
【００１４】
第４の手段は、第１又は第２の手段において、前記近距離無線通信認証デバイスに保持されているユーザ識別情報に基づいてユーザを認証するユーザ認証手段を備え、前記表示させる手段は、前記ユーザ認証手段が前記ユーザ識別情報を取得することができないときには、認証に失敗した旨を前記操作表示手段に表示させ、認証に成功したときには認証されたユーザの前記カスタマイズ情報に基づいて当該ユーザのカスタマイズ画面を表示することを特徴とする。
【００１５】
第５の手段は、第１又は第２の手段において、前記取得する手段によって前記近距離無線通信認証デバイス内に保持されたカスタマイズ情報を取得できないときには、前記表示させる手段は前記カスタマイズ画面に代えて、読み取りエラーである旨を前記操作表示手段に表示させ、その後、一般に使用される汎用の操作表示画面を表示させることを特徴とする。
【００１６】
第６の手段は、第１又は第２の手段において、前記近距離無線通信認証デバイス内又は前記記憶手段にユーザのログ情報が存在しないとき、又は前記取得する手段が前記近距離無線通信認証デバイスからログ情報を取得できないときには、前記表示させる手段は、予め設定された標準的なカスタマイズ画面を表示し、前記ログ情報が存在し、当該ログ情報を取得できたときには、そのログ情報に基づいてカスタマイズ画面を更新し、更新されたカスタマイズ画面を表示することを特徴とする。
【００１７】
第７の手段は、近距離無線通信認証デバイス内に保持された情報を読み取り、また、近距離無線通信認証デバイスに情報を書き込むリーダ／ライタと、ユーザインターフェイスとしての操作表示手段と、ユーザ毎のカスタマイズ情報を記憶する記憶手段と、を備えた画像形成装置におけるカスタマイズ画面の更新方法であって、前記近距離無線通信認証デバイス内に保持された前記カスタマイズ情報を近距離無線通信により取得し、前記取得された前記カスタマイズ情報と前記記憶手段に保持されているカスタマイズ情報と照合し、利用ユーザ毎のカスタマイズ画面を前記操作表示手段に表示させ、前記カスタマイズ画面で選択した際のログ情報を前記近距離無線通信認証デバイス内に保持させ、前記近距離無線通信認証デバイス内に保持された前記ログ情報を含むユーザ毎のカスタマイズ情報と、前記記憶手段に記憶されているカスタマイズ情報と照合し、前記カスタマイズ画面を更新することを特徴とする。
【００１８】
第８の手段は、近距離無線通信認証デバイス内に保持された情報を読み取り、また、近距離無線通信認証デバイスに情報を書き込むリーダ／ライタと、ユーザインターフェイスとしての操作表示手段と、ユーザ毎のカスタマイズ情報を記憶する記憶手段と、備えた画像形成装置におけるカスタマイズ画面の更新をコンピュータによって実行するためのカスタマイズ画面更新プログラムであって、前記近距離無線通信認証デバイス内に保持された前記カスタマイズ情報を近距離無線通信により取得する手順と、前記取得された前記カスタマイズ情報と前記記憶手段に保持されているカスタマイズ情報と照合し、利用ユーザ毎のカスタマイズ画面を前記操作表示手段に表示させる手順と、前記カスタマイズ画面で選択した際のログ情報を前記近距離無線通信認証デバイス内に保持させる手順と、前記近距離無線通信認証デバイス内に保持された前記ログ情報を含むユーザ毎のカスタマイズ情報と、前記記憶手段に記憶されているカスタマイズ情報と照合し、前記カスタマイズ画面を更新する手順と、を備えていることを特徴とする。
【００１９】
なお、後述の実施形態では、近距離無線通信認証デバイスはＮＦＣトークン１０に、近距離無線通信認証デバイス内に保持された情報はユーザ識別情報１０ａ，ログ情報１０ｂ，カスタマイズ情報１０ｃに、リーダ／ライタはＮＦＣ−Ｒ／Ｗ１１に操作表示手段は操作パネル１３に、記憶手段は符号６０（ＲＡＭ１１６及び／又はＨＤＤ１１７）に、近距離無線通信により取得する手段はＮＦＣ−Ｒ／Ｗ１１とＮＦＣ制御部１２に、表示させる手段はＮＦＣ制御部１２に、ログ情報を前記近距離無線通信認証デバイス内に保持させる手段はログ情報をＮＦＣに記録する手段５３に、更新する手段はカスタマイズ画面生成手段５２に、画像形成装置内の前記記憶手段から前記近距離無線通信認証デバイス内に前記ログ情報を転送する手段はログ情報をＮＦＣに記録する手段５３に、ユーザ認証手段は符号５１に、それぞれ対応する。
【００２０】
また、第１ないし第５の手段におけるカスタマイズ情報を近距離無線通信により取得する手段、利用ユーザ毎のカスタマイズ画面を操作表示手段に表示させる手段、カスタマイズ画面で選択した際のログ情報を近距離無線通信認証デバイス内に保持させる手段、カスタマイズ画面を更新する手段、近距離無線通信認証デバイス内にログ情報を転送する手段、及びユーザ識別情報に基づいてユーザを認証するユーザ認証手段は、ＮＦＣ制御部１２に設定され、ＣＰＵ１０２とＣＰＵ１０２が実行するプログラムによって構成することができる。
【発明の効果】
【００２１】
以上のように、本発明によれば、近距離無線通信認証デバイス内に保持されたログ情報を含むユーザ毎のカスタマイズ情報と画像形成装置の記憶手段に記憶されているカスタマイズ情報とを照合し、画像形成装置の操作表示手段に表示されるカスタマイズ画面を更新するので、非ネットワーク環境において近距離無線通信認証デバイスを画像形成装置のリーダ／ライタに翳すだけで、前回までに使用した機能のログ情報が反映されたカスタマイズ画面が表示され、当該画面での操作が可能となる。
【図面の簡単な説明】
【００２２】
【図１】本発明の実施例１に係る複合機のシステム構成を示すブロック図である。
【図２】図１における複合機のハードウェア構成を示すブロック図である。
【図３】実施例１に係る複合機のソフトウェア構成を示すブロック図である。
【図４】複合機の表示画面部を含む操作パネルの表示状態を示す図である。
【図５】図１におけるＮＦＣ制御部（図２におけるコントローラ）の処理手順を示すフローチャートである。
【図６】ＮＦＣトークンによるユーザ認証が失敗した場合の表示画面の表示例を示す図である。
【図７】汎用の操作パネルの表示画面の表示例を示す図である。
【図８】ステップＳ７で表示されるカスタマイズ画面の表示例を示す図である。
【図９】ステップＳ９でＮＦＣトークン内のログ情報の読み取りに失敗したときの表示画面の表示例を示す図である。
【図１０】図８のカスタム画面で詳細画面タブを選択したときの個人設定の画面の表示例を示す図である。
【図１１】図８のカスタム画面で設定項目の１つを選択し、詳細画面へタブにタッチしたときに表示される表示画面の表示例を示す図である。
【図１２】複合機をネットワーク接続した実施例２に係るネットワークシステムのシステム構成を示すブロック図である。
【図１３】複合機の認証制御サービスのサービスモジュールに着目したソフトウェアモジュール構成を示すブロック図である。
【発明を実施するための形態】
【００２３】
本発明はＮＦＣトークン内のログ情報に基づいて個々のユーザに対してカスタマイズされた操作画面を表示し、その画面がユーザが操作することによりユーザライクな操作を可能とするものである。以下、図面を参照し、本発明の実施形態について説明する。なお、本実施形態では、画像処理装置の一例として複合機を例に取って説明しているが、ユーザインターフェイス画面を表示可能な画像処理装置であれば、どのような装置であってもよい。
【実施例１】
【００２４】
図１は本発明の実施例１に係る複合機のシステム構成を示すブロック図である。この実施例１に係る複合機１はＮＦＣトークン１０を使用してユーザ認証、ペアリング、タッチアンドプリント、ロックドプリント、プルプリント等の拡張機能が使用できる。そのため、ＮＦＣトークン１０内には、ユーザ識別情報１０ａ、ログ情報１０ｂ、カスタマイズ情報１０ｃが記録されている。ユーザ識別情報１０ａは文字通りユーザを識別するための情報であり、ログ情報１０ｂはユーザが過去に機能を実行した際のログに関する情報であり、カスタマイズ情報１０ｃはユーザが使用可能な機能を識別したユーザ特有の情報である。
【００２５】
複合機１はＮＦＣリーダライタ装置（以下、ＮＦＣ−Ｒ／Ｗと称す。）１１、ＮＦＣ制御部１２、及び操作パネル１３を備え、ＮＦＣ制御部１２には、ユーザ認証手段５１、カスタマイズ画面生成手段５２、ログ情報１０ｂをＮＦＣに記録する手段５３、ログ情報１０ｂを画像形成装置内に保存する手段５４が設定され、記憶手段６０にユーザ認証情報６１及びカスタマイズ情報６２が格納されている。記憶手段６０は後述のＲＡＭ１１６又はＨＤＤ１１７に設定される。ＮＦＣ−Ｒ／Ｗ１１はＮＦＣトークン１０とインターフェイスを取ることが可能であり、操作パネル１３はユーザインターフェイスとして機能する。
【００２６】
図２は図１における複合機１のハードウェア構成を示すブロック図である。複合機１は、コントローラ１００、操作パネル１３、ファックス制御ユニット１４、プロッタ（プロッタエンジン）１５、スキャナ（スキャナエンジン）１６及びその他のハードウェアリソース１７から基本的に構成されている。
【００２７】
コントローラ１００は、ノースブリッジ（以下、ＮＢと称す）１０１、ＣＰＵ１０２、ＲＡＭ１０３、ＡＳＩＣ１０４を備え、ＣＰＵ１０２、ＲＡＭ１０３、ＡＳＩＣ１０４はそれぞれＮＢ１０１に接続されている。ＮＢ１０１には、さらに、シリアルバス１０５、ＮＩＣ（Network Interface Card) １０６、無線ＬＡＮ（Wireless LAN) １０６、ＵＳＢデバイス１０８、ＵＳＢホスト１０９、メモリカードＩ／Ｆ１１０がＰＣＩバス１１１を介して接続され、シリアル通信、ネットワーク通信、無線通信、ＵＳＢデバイスと接続する際に使用される。ＵＳＢホスト１０９には、ＵＳＢケーブル（バス）１１２を介してＮＦＣ−Ｒ／Ｗ１１が接続され、ＮＦＣ−Ｒ／Ｗ１１によってＩＣカード１１３、ＲＥＩＤ１１４、他のＮＦＣ−Ｒ／Ｗ１１５、携帯電話、あるいはＰＤＡ等の携帯機器のＮＦＣトークンとアクセスすることが可能となっている。また、ＡＳＩＣ１０４には、ＲＡＭ１１６及びＨＤＤ１１７が接続されている。なお、携帯電話あるいはＰＤＡにはスマートカードチップを用いたＮＦＣチップセットが搭載され、ＮＦＣプロトコルによる通信が可能となっている。また、前記ＮＦＣ制御部１２に設定されるユーザ認証手段５１、カスタマイズ画面生成手段５２、ログ情報１０ｂをＮＦＣに記録する手段５３、ログ情報１０ｂを画像形成装置内に保存する手段５４はＣＰＵ１０２が実行するプログラムの機能として実現され、記憶手段６０はＣＰＵ１０２が使用するメモリの機能として実現される。
【００２８】
前記ファックス制御ユニット１４、プロッタ１５、スキャナ１６及びその他のハードウェアリソース１７などのハードウェアはＰＣＩバス１１８を介してＡＳＩＣ１０４に接続され、また、操作パネル１３はＰＣＩバス１１８を介さずに直接ＡＳＩＣ１０４に接続されている。
【００２９】
コントローラ１００では、ＣＰＵ１０２はＮＢ１０１を介して接続された各部を制御し、ＡＳＩＣ１０４は前記ハードウェア群に対して予め設定された制御を実行する。ＣＰＵ１０２は図示しないＲＯＭあるいはＨＤＤ１１７に格納されたプログラムをＲＡＭ１０３に展開し、さらに、このＲＡＭ１０３をワークエリア及びデータバッファとして使用しながら、前記プログラムに基づいた制御を実行する。ＲＡＭ１１６は制御を実行する過程で一時データ格納するためのメモリであり、ＨＤＤ１０７はデータを大量に記憶可能な不揮発性の記憶装置としてのハードディスク装置である。ＲＡＭ１１６又はＨＤＤ１０７は図１における記憶手段６０として機能する。
【００３０】
シリアルバス１０５は外部機器との間でシリアル通信を行うためのもので、ＮＩＣ１０６はＬＡＮに接続するための拡張カード、ＷＬＡＮ１０７は無線ＬＡＮに接続するための拡張カードであり、これらのカードによりＰＣＩバス１１１に対してそれぞれＬＡＮ接続が行われる。ＵＳＢデバイス１０８はＵＳＢ接続のためのデバイスであり、メモリカードＩ／Ｆ１１０には、必要に応じてメモリカードが挿入され、ＰＣＩバス１１１との接続が図られる。
【００３１】
操作パネル１３は所謂操作表示部であり、メッセージ表示とともに入力操作が可能なユーザインターフェイスである。ファックス制御ユニット１４は、Ｇ３規格及びＧ４規格のファックス通信を可能にするものであり、プロッタ１５は記録シートに画像を印字するものであって、画像形成装置の出力リソースとして機能する。スキャナ１６は原稿あるいはバーコードなどの可視像を読み取る光読み取り装置であり、画像形成装置の読み取りデータの入力リソースとして機能する。その他のハードウェアリソース１７としては、給紙装置、フィニッシャ、折り装置、カバーフィーダ、メールボックスなどの周辺機器が該当する。
【００３２】
ＮＦＣトークン１０のアクセスには、前述のようにＵＳＢホスト１０９に接続されたＮＦＣ−Ｒ／Ｗ１１が使用される。その際、ＣＰＵ１０２はノースブリッジ１０１、ＰＣＩバス１１１、ＵＳＢホスト１０９を介し、ＵＳＢケーブル１１２によってＮＦＣ−Ｒ／Ｗ１１と接続されており、ＮＦＣ−Ｒ／Ｗ１１に対してＣＰＵ１０２からコマンドを送信することにより制御し、ＮＦＣ−Ｒ／Ｗ１１がＩＣカード１１３あるいはＲＥＩＤ１１４等のＮＦＣトークン１０と通信を行うことにより実現される。このＵＳＢホスト１０９との通信系路にはネットワークアソシエーション情報、ペアリング情報、利用者の認証情報、及び認証情報へアクセスするための鍵情報などのデータが送受信される。このためＵＳＢケーブル１１２がモニタされることによる情報の漏洩が懸念される。そこで、ＵＳＢ上のコマンド及びデータの送受信を暗号化することにより対処している。暗号化を行う前にはＮＦＣ−Ｒ／Ｗ１１との間で認証を行い、その結果から得られた共通な鍵を生成している。共通鍵を利用して暗号化及び復号化することによってＵＳＢケーブル１１２上をセキュアにしている。
【００３３】
図３は本実施例１に係る複合機１のソフトウェア構成を示すブロック図である。複合機１は、コントローラ部ＣＲとエンジン部ＥＮとから基本的に構成され、コントローラ部ＣＲの制御に基づいてエンジン部ＥＮで物理的な印字、読み取り、その他の処理が実行される。
【００３４】
コントローラ部ＣＲはオペレーションシステムＯＳ上にサービス層２０とアプリケーション層３０が設けられた構成をとり、サービス層２０は、システム制御サービス２１、ファックス制御サービス２２、エンジン制御サービス２３、メモリ制御サービス２４、操作制御サービス２５、ネットワーク制御サービス２６、及び認証制御サービス２７の各部を備えている。その上に設定されたアプリケーション層３０は、コピーアプリケーション３１、ファックスアプリケーション３２、プリンタアプリケーション３３、及びウェブアプリケーション３４の各アプリケーションを備えている。エンジン部ＥＮはコントローラ部ＣＲに対してエンジンＩ／Ｆ１８を介してエンジン制御ボード１９に接続され、エンジン制御ボード１９によってプロッタエンジン１５、スキャナエンジン１６、及びその他のハードウェアリソース１７を制御する。
【００３５】
このように構成されていることから、複合機１では、コピー、ファックス、プリンタ、ウェブ等の各アプリケーション３１，３２，３３，３４によって処理することが可能であり、これらのアプリケーションを利用するための個人認証を認証制御サービス２７によって実施している。その際、ユーザは、認証制御サービス２７によって、ネットワークアソシエーション、ペアリング、あるいは個人認証が成功して初めてこれらのアプリケーション３１，３２，３３，３４を利用することができる。
【００３６】
図４は複合機１の表示画面部を含む操作パネル１３の表示状態を示す図である。操作表示部１３自体は、この実施例１では、タッチパネル構成であり、表示された画面の所定の領域をタッチ又は押圧することにより指示入力あるいは選択入力が行われる。図４は、ＩＣカード１１３をＮＦＣ−Ｒ／Ｗ１１に翳し、ＮＦＣ−Ｒ／Ｗ１１がＩＣカード１１３内のＮＦＣトークン１０を認識したときの画面を示している。
【００３７】
図４の操作表示部１３の表示画面１３−１には、“ＮＦＣトークンを認識しました。・・・認識中”というメッセージ１３−２と、取り消しタブ１３−３及び中止タブ１３−４が表示されている。取り消しタブ１３−３は、認識させたＮＦＣトークン１０が間違ったものであるとユーザが気づいたとき、再度、正しいＮＦＣトークン１０を使用する場合に押下するタブである。このタブを押下した後、正しいＮＦＣトークン１０をＮＦＣ−Ｒ／Ｗ１１に翳せば、正しいＮＦＣトークン１０を引き続いて認識させることができる。これに対し、中止タブ１３−４は、そもそもＮＦＣトークン１０を認識させることが間違っており、ＮＦＣトークン１０に認識処理を終了させる場合に押下するものである。
【００３８】
本実施例１では、ＮＦＣトークン１０内のユーザ識別情報１０ａと複合機１の記憶手段６０に登録されているユーザ認証情報６１を照合してユーザ認証を行い、認証に成功すると、ＣＰＵ１０２はＮＦＣトークン１０内のカスタマイズ情報１０ｃを複合機１内の記憶手段６０に保持されているカスタマイズ情報６２と照合させる。ここで、ＮＦＣトークン１０内のカスタマイズ情報１０ｃにはユーザがどの機能を使用できてどの機能が使用できないかが記録してある。この照合によりユーザが使用可能な機能と使用不可能な機能とを識別した情報を含むカスタマイズ画面を操作パネル１３に表示出力する。複合機１の使用中はＮＦＣ−Ｒ／Ｗ１１とＮＦＣトークン１０との通信を維持したままにしておき、カスタマイズ画面で選択した際のログ情報をＮＦＣトークン１０内に記録する。
【００３９】
複合機１にこのような機能を持たせることによってユーザはログ情報１０ｂを持ち歩くことができ、同様の機能を持ち、ユーザ認証情報６１が登録済みの複合機１であれば、接続されたＮＦＣ−Ｒ／Ｗ１１にＮＦＣトークン１０を翳すだけでネットワークに接続することなく前回までに使用した機能のログ情報を反映させたカスタマイズ画面を表示することができる。
【００４０】
図５は、上記処理を実行する図１におけるＮＦＣ制御部１２（図２におけるコントローラ１００に対応）の処理手順を示すフローチャートである。同図において、システムが起動後、ＮＦＣ−Ｒ／Ｗ１１が機器に接続されておりかつＮＦＣ−Ｒ／Ｗ１１の使用可能な場合、ＮＦＣトークン１０がＮＦＣ−Ｒ／Ｗ１１に翳された場合、ＮＦＣトークン１０内のユーザ個人の情報を読み出す（ステップＳ１）。次いで、読み出したユーザ識別情報１０ａに基づいてユーザ認証を行う（ステップＳ２）。
【００４１】
ステップＳ２でユーザ認証に成功した場合は、ＮＦＣトークン１０内のカスタマイズ情報１０ｃを取得し（ステップＳ３）、ＮＦＣトークン１０内のカスタマイズ情報１０ｃと複合機内のカスタマイズ情報６２とを照合する（ステップＳ４）。そして、ＮＦＣトークン１０内にログ情報１０ｂが記録されているか否かをチェックし（ステップＳ５）、記録されている場合はログ情報を取得し（Ｓ６）、ログ情報により更新されたカスタマイズ画面を表示する（Ｓ７）。その後、ユーザが機能を使用した際の実行ログをＮＦＣトークン１０内に記録する（Ｓ８）。一方、ステップＳ５がログ情報がＮＦＣトークン１０内に記録されていない場合は（ステップＳ５−ＮＯ）、初期のカスタマイズ画面を操作パネルに表示し（Ｓ９）、ユーザが機能を使用した際の実行ログをＮＦＣトークン１０内に記録する（Ｓ８）。
【００４２】
他方、ステップＳ２で、認証に失敗した場合には、認証失敗の画面を表示し（ステップＳ１０）、その後、一般的な画面を操作パネル１３に表示する（ステップ１１）。
【００４３】
図６は、ＮＦＣトークン１０によるユーザ認証が失敗した場合の表示画面で、“認証に失敗しました。”というメッセージ１３−５とともに、その旨了承したことを入力する確認タブ１３−６が表示される。したがって、ユーザがこの確認タブ１３−６をタッチすると、この時点で認証処理は終了し、図７に示す汎用の操作パネル１３の表示画面となる。汎用の操作パネル１３の表示画面は、ここでは、コピー画面１３−７の表示であり、コピー画面１３−７では、カラーの種類を選択するカラータブ１３−８ａ、モノクロタブ１３−ｂ、単色タブ１３−９ａ、２色タブ１３−９ｂと、原稿の種類を選択する文字（原稿）タブ１３−１０ａ、写真（原稿）タブ１３−１０ｂ、文字・写真（原稿）タブ１３−１０ｃと、濃度調整タブ１３−１１が設定され、また、コピーを作成する用紙サイズを選択する用紙サイズ選択タブ１３−１２、変倍率を選択する変倍率選択タブ１３−１３、及びコピーの種類、を選択するコピー種類選択タブ１３−１４が表示画面の別領域に表示される。コピーの種類は、ここでは、片面印刷、両面印刷、集約コピー、ソートコピーの４つの種類が選択対象となっている。また、単色タブ１３−９ａ、２色タブ１３−９ｂはカラータブ１３−８ａが選択されたときに有効になり、選択することができる。なお、この表示画面では、黒色の塗り潰し、白色の文字となっている反転表示のタブは、初期の設定で選択されているものである。
【００４４】
図７の画面から濃度調整タブ１３−１１、集約タブ１３−１４ａ、ソートタブ１３−１４ｂを選択すると、その下の階層の表示画面がさらに表示され、その表示画面からさらに詳細に設定することが可能となる。以下、図７で選択されている設定状態を初期設定とするが、初期設定でそれぞれどのタブが選択されているかは図７の画面を表示する複合機の設定に依存する。なお、図６はユーザ認証を実行しなかった場合の表示画面の表示例でもある。
【００４５】
また、本実施例１では、ＮＦＣ通信でユーザ認証を行った後（ステップＳ２−ＹＥＳ）であって、ログ情報が全て書き込まれる（ステップＳ８）前にＮＦＣ−Ｒ／Ｗ１１とＮＦＣトークン１０との通信が切断された場合、ログ情報を保存する手段５４によって複合機１内のメモリ（ＲＡＭ１１６あるいはＨＤＤ１１７）にログ情報を一時記録し、次回、ユーザがＮＦＣ通信により同一の複合機１にアクセスした際に、複合機１内のメモリ（ＲＡＭ１１６あるいはＨＤＤ１１７）からＮＦＣトークン１０内にログ情報を転送する。これにより、ユーザがアクセス時にのみＮＦＣトークン１０を翳した場合でも、前回までに使用した機能のログ情報を反映させたカスタマイズ画面を表示することができる。
【００４６】
なお、ステップＳ７で表示されるカスタマイズ画面は、例えば図８に示すような画面である。図８に示すカスタマイズ画面では、第１ないし第３の個人設定タブ１３−１５ａ，１５ｂ，１５ｃ、第１ないし第３の使用頻度の高い設定タブ１３−１６ａ，１６ｂ，１６ｃ、初期設定タブ１３−１７、及び詳細画面へタブ１３−１８が表示される。この例では、取得されたログ情報により第１の個人設定タブ（個人設定タブ１）１３−１５ａが反転表示され、取得したログ情報に対応する個人設定であることを示している。そこで、図８の状態で詳細画面タブ１３−１８を選択すれば、この第１の個人設定タブ１３−１５ａに対応する事前に登録された個人設定の画面、例えば図１１に示す表示画面（詳細画面）が表示され、図示しない実行キー（スタートキー）を押下することにより、煩わしい設定、選択操作なしでユーザが希望する機能で画像が形成される。
【００４７】
なお、ＮＦＣトークン１０内又は複合機１内にユーザのログ情報が存在しない場合や、複合機１がＮＦＣトークン１０内のログ情報１０ｂの読み取りに失敗した場合（ステップＳ５−ＮＯ）には、図９に示すように“読み取りエラー”というメッセージ１３−５’を表示し、確認タブ１３−６がタッチされると、図１０に示した画面が表示される。この表示画面１３では、図８の画面に対してログ情報に依存する第１ないし第３の使用頻度の高い設定タブ１３−１６ａ’，１６ｂ’，１６ｃ’がゴースト表示となり、選択不可となる。
【００４８】
また、図８のカスタム画面でユーザが設定項目の１つを第１の個人設定タブ１３−１５ａは第１ないし第３の個人設定タブ１３−１５ａ，１５ｂ，１５ｃ、第１ないし第３の使用頻度の高い設定タブ（ログ情報に基づいた設定タブ）１３−１６ａ，１６ｂ，１６ｃ、もしくは初期設定タブ１３−１７から利用したい設定を選択し、詳細画面へタブ１３−１８にタッチすると、例えば図１１に示すような画面に変化する。この表示画面は図７に示した汎用画面と類似したレイアウトで、設定情報を反映させた画面となっている。この表示画面では、認証されたユーザに許可されていない機能がある場合には、タブがゴースト表示され、選択不能な状態となっている。図１１の例では、カラータブ１３−８ａがゴースト表示となり、このユーザに対してはカラーコピーが不可となっている。
【００４９】
なお、この表示画面で任意の設定をした後に、個人設定登録キー１３−１９にタッチして入力することにより、個人設定登録情報を変更することができる。また、設定選択画面へタブ１３−２０をタッチすると、図８の画面に表示画面が変わって設定選択画面が表示され、この画面からいずれかの設定タブを選択することも可能である。
【実施例２】
【００５０】
本発明の実施例２は実施例１に係る複合機がネットワークに接続されている場合の例である。  
図１２は複合機１をネットワーク接続した本実施例２に係るネットワークシステムのシステム構成を示すブロック図である。同図において、本システムは、複合機１に対してアクセスポイント２、ネットワーク端末装置３、ネットワークサーバ４、ＰＣ５などがネットワーク８を介して通信可能に接続されている。また、画像形成装置１及びＰＣ５にはＮＦＣトークン１０とインターフェイスをとることが可能なＮＦＣ−Ｒ／Ｗ１１，１１ａがそれぞれ接続されている。なお、ネットワーク８は例えば有線ＬＡＮあるいは無線ＬＡＮであり、これらの組み合わせでもよい。
【００５１】
複合機１及びＰＣ５に接続されたＮＦＣ−Ｒ／Ｗ１１，１１ａはＮＦＣトークン１０との間でＮＦＣ通信を行うことが可能で、ＮＦＣトークン１０がＮＦＣ−Ｒ／Ｗ１１，１１ａの通信距離内に入ると通信が行われる。ＮＦＣトークン１０には、ユーザのネットワーク設定情報及びユーザ自身の個人認証情報が記録されている。ＮＦＣトークン１０をＮＦＣ−Ｒ／Ｗ１１あるいは１１ａに翳し、ＮＦＣ−Ｒ／Ｗ１１あるいは１１ａによってＮＦＣトークン１０に記録されている内容が取得されると、ＮＦＣ−Ｒ／Ｗ１１あるいは１１ａが接続されている複合機１あるいはＰＣ５で、ネットワークアソシエーション、ペアリング、あるいは認証処理が行われる。ネットワークアソシエーション、ペアリング、あるいは認証処理が成功した場合、ＮＦＣトークン１０により認証を受けたユーザは、複合機１の使用を開始することができる。あるいは、ネットワークに接続された機器とデータ通信を行うことができる。なお、ＮＦＣトークン１０はＩＣカードのようなカード状の機器に搭載するものの他に、携帯電話６あるいはＰＤＡ７に搭載されている場合もある。
【００５２】
なお、本実施例２では、携帯電話６及びＰＤＡ７にはスマートカードチップを用いたＮＦＣチップセット６ａ，７ａが搭載され、ＮＦＣプロトコルによる通信が可能となっている。この実施形態では、ＮＦＣ−Ｒ／Ｗ１１，１１ａを介してネットワーク８に接続されたいずれかの装置と通信可能である。
【００５３】
図１３は認証制御サービス２７のサービスモジュールに着目したソフトウェアモジュール構成を示すブロック図である。  
同図において、このソフトウェアモジュールはＮＦＣフレームワーク２７−１の下に、ＮＦＣリソースマネージャ２７−２、ネットワークライブラリ２７−５、アドレス帳ＤＢ２７−７、及び描画処理モジュール２７−１０が配置されている。また、ＮＦＣリソースマネージャ２７−２の下位には、ＮＦＣ−Ｒ／Ｗデバイスドライバ２７−３及びＵＳＢホストデバイスドライバ２７−４が位置している。さらに、ネットワークライブラリ２７−５の下には無線モジュール２７−６が位置し、アドレス帳ＤＢ２７−７の下には、ファイルシステム２７−８及びＨＤＤドライバ２９−９が位置し、描画処理モジュール２７−１０の下にグラフィックドライバ２７−１１が位置し、アプリケーション３０はこのＮＦＣフレームワーク２７−１を土台として前記各アプリケーション３１，３２，３３，３４を実行する。
【００５４】
本実施例２では、ＮＦＣフレームワーク２７−１はアプリケーション３０から認証要求を受付け、描画処理モジュール２７−１０、グラフィックドライバ２７−１１を経由して操作表示部１３への表示処理、ＮＦＣソースマネージャ２７−２より、ＮＦＣトークン１０からネットワーク設定情報や認証情報（ユーザ識別情報１０ａ、ログ情報１０ｂ、カスタマイズ情報１０ｃ）を取得し、取得した情報をネットワークライブラリ２７−５を利用して無線モジュール２７−６及び／又は外部アクセスポイント２に対して問い合わせを行い、あるいは、アドレス帳ＤＢ２７−７に対して問い合わせを行い、もしくはネットワークサーバ４に対して問い合わせを行う。そして、ＮＦＣフレームワーク問い合わせ途中の詳細情報及びその結果、ネットワーク設定及び認証の成功もしくは失敗をアプリケーション３０へ出力する。
【００５５】
また、ネットワークサーバ４にログ情報１０ｂを一時記録し、次回ユーザがＮＦＣ通信により同一の複合機１にアクセスした際に、ネットワークサーバ４からＮＦＣトークン１０内にログ情報１０ｂを転送する。これにより実施例１における複合機のＮＦＣ制御部１２のログ情報１０ｂを画像形成装置内に保存する手段５４がネットワークサーバ４内に設けられたものと等価となり、実施例１の構成をそのままネットワーク接続で実現することが可能となる。
【００５６】
その他、特に説明しない各部は実施例１と同等に構成され、同等に機能する。
【００５７】
以上のように本実施形態によれば、
１）ＮＦＣトークン１０内にカスタマイズ情報１０ｃとログ情報１０ｂを保持するので、個人情報を登録した複合機１であればユーザはＮＦＣトークン１０をＮＦＣ−Ｒ／Ｗ１１に翳すだけで、他のＰＣやサーバを介することない非ネットワーク環境でも、前回までに使用した機能のログ情報１０ｂが反映されたカスタマイズ画面で操作をすることが可能となる。  
２）カスタマイズ画面では、ユーザが使用可能な機能と使用できない機能とを識別することができ、使用不可な機能の設定を行ってしまうといった無駄を省くことができる。  
３）複合機１を使用中にＮＦＣトークン１０とのＮＦＣ通信が切断された場合でも、その通信時に使用したログ情報を、次回以降の複合機１の使用時にユーザの所有するＮＦＣトークン１０に記録することができる。  
４）ＮＦＣトークン１０の認証に失敗した場合には、その旨、操作パネル１３に表示し、その後、一般的な表示画面を表示するので、ユーザが認証失敗を認識した後、直ぐに、希望の機能の設定に入ることができる。  
５）ＮＦＣトークン１０の認証に成功し、ＮＦＣトークン１０内の保持されたカスタマイズ情報とログ情報を取得できたときには、ログ情報に基づいて更新されたカスタマイズ画面を表示するので、ユーザは更新されたカスタマイズ画面からそれ以降の操作が可能となり、無駄を省くことができる。  
６）ＮＦＣトークン１０の認証に成功した場合であって、ＮＦＣトークン１０内の保持されたカスタマイズ情報のログ情報を取得できなかったときには、一般的な汎用の表示画面ではなく、ログ情報に依存しない設定を操作不能とした初期のカスタマイズ画面を表示するので、使用不可な機能の設定を行うことがなく、その分、無駄を省くことができる。  
等の効果を奏する。
【００５８】
なお、本発明は本実施形態に限定されるものではなく、特許請求の範囲に記載された発明の技術思想に含まれる技術的事項の全てが対象となる。
【符号の説明】
【００５９】
１  複合機
１０  ＮＦＣトークン
１０ａ  ユーザ識別情報
１０ｂ  ログ情報
１０ｃ，６２  カスタマイズ情報
１１  ＮＦＣ−Ｒ／Ｗ
１２  ＮＦＣ制御部
１３  操作パネル
５１  ユーザ認証手段
５２  カスタマイズ画面生成手段
５３  ログ情報をＮＦＣに記録する手段
６０  記憶手段
１００  コントローラ
１０２  ＣＰＵ
１０４  ＡＳＩＣ
１１６  ＲＡＭ
１１７  ＨＤＤ
【先行技術文献】
【特許文献】
【００６０】
【特許文献１】特開２００５‐１９８１４１号公報
【特許文献２】特開２００７‐０５５０９９号公報
【図１】
2010263484.tif 000003
【図２】
2010263484.tif 000004
【図３】
2010263484.tif 000005
【図４】
2010263484.tif 000006
【図５】
2010263484.tif 000007
【図６】
2010263484.tif 000008
【図７】
2010263484.tif 000009
【図８】
2010263484.tif 000010
【図９】
2010263484.tif 000011
【図１０】
2010263484.tif 000012
【図１１】
2010263484.tif 000013
【図１２】
2010263484.tif 000014
【図１３】
2010263484.tif 000015